(57)【要約】【課題】本発明の目的は、冷却能力を高め、長寿命化を図った液晶ディスプレイを提供することにある。【解決手段】液晶ディスプレイ１０は、液晶モジュール１２、液晶モジュール１２の前面に配置される板体１４、液晶モジュール１２と板体１４を取り付けるための筐体１６、第１のファン１８、および第２のファン２０ａ，２０ｂを備える。第１のファン１８で液晶モジュール１２の前面を冷却しながら、第２のファン２０ａ，２０ｂで液晶モジュール１２の裏面も冷却する。第２のファン２０ａ，２０ｂによって外気の吸入と熱の排気を強制的におこなう。【選択図】図１
2011150034.tif 000002
【特許請求の範囲】
【請求項１】
液晶モジュールと、
前記液晶モジュールの前面に対して一定間隔で対向配置する光透過性の板体と、
前記液晶モジュールの側面および裏面に対して空間を介して覆い、液晶モジュールと板体が取り付けられる筐体と、
前記液晶モジュールの裏面側から液晶モジュールと板体の間を通り、液晶モジュールの裏面側に抜ける風を発生させる第１のファンと、
前記筐体の外部から液晶モジュールの裏面側の空間を通り、該裏面側の空間から筐体の外部に抜ける風を発生させる第２のファンと、
を備えた液晶ディスプレイ。
【請求項２】
前記第１のファンから液晶モジュールと板体の間へ風を導くダクトを備えた請求項１の液晶ディスプレイ。
【請求項３】
前記第１のファンによって生じる風の方向が、第２のファンによって生じる風の方向と異なり、第１のファンによって発生した風の風力よりも第２のファンによって発生した風の風力が強い請求項１または２の液晶ディスプレイ。
【請求項４】
前記液晶モジュール、筐体の内部空間、または筐体の外周の少なくとも１つの温度を測定する温度センサを備え、測定された温度によって第１のファンおよび第２のファンの回転数を変更する、または測定された温度によって第１のファンおよび第２のファンをオンまたはオフさせる請求項１から３のいずれかの液晶ディスプレイ。
【請求項５】
前記測定された温度、第１のファンの回転数、および第２のファンの回転数に応じて液晶モジュールの輝度を変更する請求項４の液晶ディスプレイ。
【請求項６】
前記液晶モジュールの周辺に照度を測定する照度センサを備え、所定以上の照度を検出した場合、第１のファン、第２のファン、またはその両方の回転数を照度に応じて高くする請求項４または５の液晶ディスプレイ。
【請求項７】
前記測定された温度が所定温度以下であれば、液晶モジュールに備えられたバックライトをオンにして、第１のファン、第２のファン、またはその両方を駆動させる請求項４から６のいずれかの液晶ディスプレイ。
【請求項８】
前記第１のファンおよび第２のファンがそれぞれ複数備えられ、第１のファン同士および第２のファン同士がそれぞれ異なる時間に駆動され、第１のファン同士および第２のファン同士の通算の駆動時間が同一となるように制御される請求項１から７のいずれかの液晶ディスプレイ。
【請求項９】
前記第１のファンおよび第２のファンが一定時間駆動されなかった場合、ファンを駆動させる請求項１から８のいずれかの液晶ディスプレイ。
【請求項１０】
前記光透過性の板体に、赤外線カットフィルム、紫外線カットフィルム、またはその両方を設けた請求項１から９のいずれかの液晶ディスプレイ。
【発明の詳細な説明】
【技術分野】
【０００１】
本発明は、文字や画像などを表示する液晶ディスプレイに関するものである。
【背景技術】
【０００２】
屋外で使用するディジタルサイネージ（電子看板）として、液晶ディスプレイの普及が進んでいる。液晶ディスプレイを屋外で使用した場合、液晶モジュールの前面に太陽光が照射される場合がある。液晶モジュールの輝度を上げても、液晶モジュールの前面の温度が上昇するため、表示が黒くなる。例えば、液晶モジュールの前面が約６０℃以上になると、表示が黒くなる。その対策を施した液晶ディスプレイが下記の非特許文献に開示されている。
【０００３】
下記の非特許文献１の液晶ディスプレイ５０は、液晶モジュール５２と、液晶モジュール５２の前の保護ガラス５４と、クロスフローファン５６と、液晶モジュール５２などが取り付けられる筐体５８とを備えている（図５）。液晶モジュール５２は液晶セル６０の裏面にバックライト６２が取り付けられている。筐体５８の下部と上部に通風口６２があり、クロスフローファン５６が液晶モジュール５２の前面と保護ガラス５４との間に風Ｗを送っている。液晶モジュール５２の前面から排熱がおこなわれ、液晶モジュール５２の前面の温度上昇を防止している。
【０００４】
しかし、液晶モジュール５２の前面の冷却だけでは、液晶モジュール５２に対する冷却能力は低い。特に屋外で視認できるようにバックライト６２の輝度が高められており、筐体内の温度が上昇しやすい。この温度上昇によって液晶モジュール５２などが故障しやすい。クロスフローファン５６の回転数を上げることが考えられるが、クロスフローファン５６の寿命を縮めるおそれがある。
【０００５】
また、太陽光の照射の有無に関係なく送風をおこなうと、必要のない冷却をおこなう場合がある。寒冷地に液晶ディスプレイ５０を設置した場合、冬季に送風をおこなうと、液晶ディスプレイ５０が冷えすぎて動作できない場合がある。クロスフローファン５６を常時駆動させることによって、クロスフローファン５６の寿命が縮められるおそれがある。
【先行技術文献】
【非特許文献】
【０００６】
【非特許文献１】ASCII.jp  http://ascii.jp/elem/000/000/443/443630/  2009年7月31日6時更新
【発明の概要】
【発明が解決しようとする課題】
【０００７】
本発明の目的は、冷却能力を高め、長寿命化を図った液晶ディスプレイを提供することにある。
【課題を解決するための手段】
【０００８】
本発明の液晶ディスプレイは、液晶モジュールと、前記液晶モジュールの前面に対して一定間隔で対向する光透過性の板体と、前記液晶モジュールの側面および裏面に対して空間を介して覆い、液晶モジュールと板体が取り付けられる筐体と、前記液晶モジュールの裏面側から液晶モジュールと板体の間を通り、液晶モジュールの裏面側に抜ける風を発生させる第１のファンと、前記筐体の外部から液晶モジュールの裏面側の空間を通り、該裏面側の空間から筐体の外部に抜ける風を発生させる第２のファンとを備える。
【０００９】
液晶モジュールと板体との間に第１のファンで送風をおこない、液晶モジュールの前面を冷却する。液晶モジュールの裏面と筐体の間に第２のファンで送風をおこない、液晶モジュールの裏面を冷却する。第２のファンは、第１のファンへの送風をおこない、かつ液晶モジュールの前面の冷却に使用した風も排気する。
【００１０】
液晶ディスプレイは温度センサを備えて、温度に応じて第１のファンと第２のファンの風力を変更させても良い。また、温度に応じてバックライトの輝度を変更しても良い。さらに、照度センサを備えて、照度に応じて第１のファンと第２のファンの風力の変更とバックライトの輝度を変更させても良い。また、板体における液晶モジュールとの対向面に赤外線カットフィルムを貼り付けることにより日射による熱をカットしても良い。
【発明の効果】
【００１１】
本発明によると、第１のファンと第２のファンで液晶モジュールの両面を冷却できるため、冷却能力が高い。液晶モジュールの寿命を長くできる。また、温度センサなどを用いて、第１のファンと第２のファンの駆動時間や駆動方法を制御することによって、最適な冷却をおこないつつ、各ファンの寿命を長く、フィルタ交換の間隔も長くできる。さらに、温度センサなどを用いて、バックライトの輝度を変更するため、第１のファンと第２のファンの冷却をアシストしたり、液晶モジュールの寿命を長くできる。赤外線カットフィルムによって、液晶モジュールの前面の温度上昇を抑制することが出来る。
【図面の簡単な説明】
【００１２】
【図１】本発明の液晶ディスプレイの外観を示す図である。
【図２】液晶ディスプレイの構成を示す図であり、（ａ）は液晶モジュールの裏面側、（ｂ）は液晶モジュールの側方断面を示す図である。
【図３】液晶モジュールの各制御回路のブロックを示す図である。
【図４】複数のファンをローテーションで駆動させるパターンを示す図である。
【図５】従来の液晶ディスプレイの図である。
【発明を実施するための形態】
【００１３】
本発明の液晶ディスプレイについて図面を使用して説明する。図面は模式的に示したものであり、実際の寸法とは異なる場合がある。
【実施例１】
【００１４】
図１、図２に示す液晶ディスプレイ１０は、液晶モジュール１２、液晶モジュール１２の前面に配置される板体１４、液晶モジュール１２と板体１４を取り付けるための筐体１６、第１のファン１８、および第２のファン２０ａ，２０ｂを備える。
【００１５】
液晶モジュール１２は、液晶セル２２の裏面にバックライト２４を取り付けたものである。液晶セル２２の前面が表示面となる。液晶セル２２は、アレイ基板とカラーフィルター基板とを対向させて、両基板間に液晶を封入した物である。液晶セル２２の少なくとも２辺に液晶セル２２を駆動させるためのドライバＩＣが接続される。液晶セル２２とバックライト２４を一体にするためにベゼルが使用される。
【００１６】
板体１４は、液晶モジュール１２の前面に対して一定間隔で対向する。板体１４は、液晶モジュール１２の表示が視認できるようにするため、光透過性である。板体１４の種類としては、タッチパネル、ガラス板、樹脂板、またはそれらを組み合わせた物が挙げられる。液晶モジュール１２と板体１４との間に風Ｗｙが通される。
【００１７】
液晶ディスプレイ１０の設置条件に応じて、板体１４の液晶モジュール１２との対向面に赤外線カットフィルム、紫外線カットフィルム、またはその両方を貼り付けることもできる。液晶モジュール１２の温度上昇や経年劣化を抑えることができる。板体１４の種類によっては、上述した面とは逆側の面に各フィルムを貼り付けても良い。
【００１８】
筐体１６には液晶モジュール１２と板体１４が取り付けられる。液晶モジュール１２のベゼルが筐体１６の内壁に直接または間接的に取り付けられる。筐体１６には方形の開口２６を形成するための枠２８が有り、枠付近の内壁に板体１４の４辺が取り付けられる。液晶モジュール１２と板体１４とが一定間隔を有するように、筐体１６を設計する。
【００１９】
また、筐体１６は、液晶モジュール１２の側面や裏面に対して空間を介して覆うようにする。この空間に第１のファン１８や第２のファン２０ａ，２０ｂなどが配置される。図１の筐体１６は直方体であるが、液晶モジュール１２の前面を視認でき、所定の物を収納でき、後述する風Ｗｘ，Ｗｙが発生するのであれば、他の形状であっても良い。
【００２０】
第１のファン１８は、液晶モジュール１２の裏面側から液晶モジュール１２と板体１４の間に吸気をおこない、液晶モジュール１２と板体１４の間から液晶モジュール１２の裏面側に排気する。第１のファン１８の風Ｗｙによって、液晶モジュール１２の前面を冷却する。
【００２１】
液晶モジュール１２の縦方向の風Ｗｙを確実に発生させるために、液晶モジュール１２と板体１４の間の空間において、横側辺を板（パッキン）などで封止する。空間の横側辺を封止することによって、縦方向に風路が形成される。
【００２２】
第１のファン１８の種類としてはクロスフローファン（遠心ファン）が挙げられる。第１のファン１８から液晶モジュール１２と板体１４との間に風Ｗｙを導くためのダクト３０を備える。ダクト３０によって、第１のファン１８からの風を効率良く液晶モジュール１２と板体１４との間に導くと共に風速を高めることができる。
【００２３】
図２では第１のファン１８は液晶モジュール１２よりも上方に配置されているが、液晶モジュール１２よりも下方であっても良い。下方から上方に送風する。また、ダクト３０の構造によっては、第１のファン１８は液晶モジュール１２の裏面側に配置されても良い。
【００２４】
第２のファン２０ａ，２０ｂは、筐体１６の外部から液晶モジュール１２の裏面側の空間に吸気をおこない、裏面側の空間から筐体１６の外部に排気をおこなう。図示例では第１のファン１８と第２のファン２０ａ，２０ｂとでは、風Ｗｘ，Ｗｙの方向が９０°異なる。第２のファン２０ａ，２０ｂによって、液晶モジュール１２の裏面を冷却しながら、第１のファン１８の吸気部分に外気を送ることができる。また、液晶モジュール１２の前面から裏面に排気された空気は、第２のファン２０ａ，２０ｂによって筐体１６の外部に排気される。液晶モジュール１２の裏面側はバックライト２４であり、輝度を上げることによってバックライト２４の温度も上がるが、第２のファン２０ａ，２０ｂによって冷却される。液晶ディスプレイ１０の種々の制御回路を搭載する基板とそれを固定する板金を使用して効率良く液晶モジュール１２の裏面側を冷却出来るように風路を構成しても良い。基板も同時に冷却できる。
【００２５】
第２のファン２０ａ，２０ｂの種類としては軸流ファンが挙げられる。第２のファン２０ａ，２０ｂは、図示例では吸気用と排気用の２種類を備える。第２のファン２０ａ，２０ｂは、第１のファン１８よりも風力を強くする。液晶モジュール１２の前面から裏面側に送られた空気も排気するためである。
【００２６】
第２のファン２０ａ，２０ｂが並べられているが、並べられる間隔などは、第１のファン１８への送風、液晶モジュール１２の裏面の冷却、筐体１６からの排気を考慮して適宜変更しても良い。
【００２７】
筐体１６における第２のファン２０ａ，２０ｂの周辺には、吸気または排気をおこなうための通風口３２が設けられる。通風口３２は、粉じんや花粉などを吸入しにくくするために、細いスリットや小さな穴を複数設けるのが好ましい。通風口３２にエアフィルターを設け、粉じんや花粉などが筐体内への吸入されるのを防止しても良い。更に、第１のファン１８の吸気部にもエアフィルルターを設けることにより、液晶モジュール１２と板体１４の間への粉じんや花粉などの流入を防ぐことが出来る。
【００２８】
なお、第２のファン２０ａ，２０ｂを吸気用または排気用の１つに限定しても良い。吸気用の第２のファン２０ａだけであれば、吸気によって筐体１６の空気を外部に押し出す。排気用の第２のファン２０ｂだけであれば、排気によって、筐体１６の内部に外気を吸い込む。
【００２９】
液晶モジュール１２のバックライト２４を制御するバックライト制御回路３４、各ファン１８，２０ａ，２０ｂの単位時間あたりの回転数（回転速度）を制御するファン制御回路３６が筐体１６の中に収納される（図３）。バックライト制御回路３４やファン制御回路３６は、後の実施例において、種々のセンサ３８，４０からのデータが入力され、データによって制御を変更することができる。
【００３０】
その他、映像信号を液晶モジュール１２のドライバＩＣの信号に変換する回路、タッチパネルを使用した場合のタッチパネルを制御するための回路、外部と通信する場合に通信をおこなうための回路が筐体１６に収納される。外部から映像信号を入力して、液晶ディスプレイ１０の表示をおこなうことができる。また、内部にパソコンなどの映像出力装置を内蔵して表示をおこなうこともできる。さらに、必要に応じて種々のデータを記憶するためのメモリ、必要に応じて時間を計るための時計機能を備える。
【００３１】
液晶ディスプレイ１０は、ディジタルサイネージとして利用できる。板体１４にタッチパネルを使用すれば、券売機や自動販売機の商品選択や商品説明のディスプレイとして使用できる。自動販売機などであれば、筐体１６は自動販売機などの筐体であっても良く、筐体内には上記の物以外に自動販売機などの装置が組み込まれる。
【００３２】
上述した本発明は、第１のファン１８で液晶モジュール１２の前面を冷却しながら、第２のファン２０ａ，２０ｂで液晶モジュール１２の裏面も冷却する。また、第２のファン２０ａ，２０ｂによって外気の吸入と熱の排気を強制的におこなうことができる。液晶モジュール１２の前面に太陽光が照射されても、液晶モジュール１２の両面を冷却するために冷却効率が良く、表示が黒くならない。屋外や窓際で良好に液晶ディスプレイ１０を使用することができる。また、板体１４における液晶モジュール１２との対向面に赤外線カットフィルムを貼り付けることにより更に太陽光照射による液晶モジュール１２の前面の温度上昇を防ぐことができる。
【実施例２】
【００３３】
上記の液晶ディスプレイ１０に温度センサ３８を設けても良い。温度センサ３８は、液晶モジュール１２、筐体１６の内部空間、または筐体１６の外周の少なくとも１つの温度を測定する。複数の温度センサ３８を設けてもよい。具体的には、液晶モジュール１２の前面、液晶モジュール１２の裏面、液晶モジュール１２の裏面側の空間、第１のファン１８の付近、第２のファン２０ａ，２０ｂの付近、および筐体１６の外周が挙げられる。温度センサ３８としては、接触型または非接触型のいずれでも良く、例えばサーミスタが挙げられる。
【００３４】
温度センサ３８が測定した値はファン制御回路３６に入力される。液晶モジュール１２の前面や裏面の温度であれば、液晶モジュール自身の前面や裏面の温度が分かる。筐体１６の内部空間の温度などは、それらの温度を使用して液晶モジュール１２の前面や裏面の温度を計算する。液晶モジュール１２の前面や裏面の温度によって、各ファン１８，２０ａ，２０ｂの回転数を変更する。液晶モジュール１２の前面や裏面の温度が上昇すれば各ファン１８，２０ａ，２０ｂの回転数を上げ、液晶モジュール１２の前面や裏面の温度が低下すれば各ファン１８，２０ａ，２０ｂの回転数を下げる。例えば、液晶モジュール１２の前面の温度が約６０℃以上にならないようにして、表示が黒くならないようにする。
【００３５】
また、上記の温度および各ファン１８，２０ａ，２０ｂの回転数を使用して、ファン制御回路３６が液晶モジュール１２の温度変化を予測し、各ファン１８，２０ａ，２０ｂの回転数を決定しても良い。液晶モジュール１２の温度が高くなると予測されれば各ファン１８，２０ａ，２０ｂの回転数を上げ、液晶モジュール１２の温度が低くなると予測されれば各ファン１８，２０ａ，２０ｂの回転数を下げる。予測は、温度やファン１８，２０ａ，２０ｂの回転数の統計データをファン制御回路３６に記憶しておき、統計データに基づいておこなうことが挙げられる。
【００３６】
温度による各ファン１８，２０ａ，２０ｂの回転数の制御を挙げたが、温度によって各ファン１８，２０ａ，２０ｂのオンとオフが切り替えられる構成であっても良い。温度が上がれば各ファン１８，２０ａ，２０ｂをオンにして冷却をおこなう。
【実施例３】
【００３７】
バックライト制御回路３４は、各ファン１８，２０ａ，２０ｂの回転数および液晶モジュール１２の前面の温度によって液晶モジュール１２の輝度を変更する。ファン１８，２０ａ，２０ｂの故障などで回転数が上がらない場合に、液晶モジュール１２の前面の温度が上昇すれば、バックライト制御回路３４が液晶モジュール１２の輝度を下げるようにする。筐体１６内の温度上昇を抑え、液晶ディスプレイ１０の保護をおこなう。
【００３８】
また、ファン１８，２０ａ，２０ｂの回転数を上げても、夏期などの高温時に液晶モジュール１２の温度が下がらない場合に、液晶モジュール１２の輝度を下げるようにする。液晶モジュール１２の温度を下げて、保護をおこなう。輝度を下げることによって、筐体１６の内部空間の温度も下がり、各種制御回路３４，３６などの保護にもなる。
【００３９】
以上をまとめると、バックライト制御回路３４は、ファン１８，２０ａ，２０ｂの各回転数に対する液晶モジュール１２の温度を定義したデータを記憶しておき、回転数に対して温度が高ければ、液晶モジュール１２の輝度を下げる。
【実施例４】
【００４０】
液晶ディスプレイ１０が表示をおこなっていない場合であっても、温度センサ３８によって筐体１６の外周またはその周辺の温度を測定しても良い。所定温度以下（氷点下以下などの低温）の場合、バックライト制御回路３４がバックライト２４をオンにして、ファン制御回路３６が第１のファン１８を駆動させる。バックライト２４をオンにすることによって、筐体１６内の温度が所定温度以下にならないようにして、液晶ディスプレイ１０が何時でも動作できるように待機させる。第１のファン１８を駆動させることによって、液晶ディスプレイ１０の内部で結露が生じないようにする。第１のファン１８の駆動は、間欠運転であっても良い。第１のファン１８の製品寿命を延ばす。
【００４１】
また、結露を防止するために、筐体１６内に湿度センサを設けても良い。ファン制御回路３８は、温度と湿度から各ファン１８，２０ａ，２０ｂの回転数を求める。湿度によって露点温度が分かり、温度が露点温度よりも高ければ、各ファン１８，２０ａ，２０ｂの回転数を下げたり、または各ファン１８，２０ａ，２０ｂの回転を停止させることができる。各ファン１８，２０ａ，２０ｂの負荷を小さくでき、寿命を長くできる。温度が露点温度以下であり、外部の温度が露点温度以上であれば、ファン１８，２０ａ，２０ｂを駆動させる。温度が露点温度よりも下がるにしたがってファン１８，２０ａ，２０ｂの回転数も高める。また、外部の温度が露点温度以下の場合はバックライト２４をオンにし、第１のファン１８を駆動させ温度が露点温度以下にならない様にする。
【実施例５】
【００４２】
液晶モジュール１２の周辺に照度を測定する照度センサ４０を備えても良い。液晶モジュール１２の前面が所定温度以下（表示が黒くならない温度）であっても、照度センサ４０が所定以上の照度の光を受光した場合に、ファン制御回路３６が各ファン１８，２０ａ，２０ｂを駆動させる。光の照射によって液晶モジュール１２の温度が高くなるのを防止するためである。照度に応じて各ファン１８，２０ａ，２０ｂの回転数を変更しても良い。照度センサ４０としては、光の受光部分にフォトトランジスタやフォトダイオードを使用した回路が挙げられる。
【００４３】
また、照度が大きく、かつ各ファン１８，２０ａ，２０ｂによる冷却を行っても液晶モジュール１２の前面温度が所定温度以下にならない場合は、実施例３と同様に液晶モジュール１２の輝度を下げるようにする。液晶モジュール１２の温度を下げて、保護をおこなう。
【００４４】
屋外や窓際で表示をおこなうために、太陽光の照射を考慮して液晶モジュール１２の輝度が高められる。例えば、１５００ｃｄ／ｍ２の高輝度である。しかし、太陽光が照射されない夜間や曇天などでは、輝度が高すぎる。そこで、バックライト制御回路３４は、照度に応じて輝度を変化させてもよい。太陽光が照射されれば、前述の輝度とする。照度が下がればそれにあわせて輝度を下げる。例えば夜間であれば、輝度を４５０ｃｄ／ｍ２とする。輝度を適宜変化させることによって、最適な輝度で表示できる。夜間にファン１８，２０ａ，２０ｂを停止させることができ、ファン１８，２０ａ，２０ｂの寿命も延ばせる。
【００４５】
照度センサ４０として小型のカメラを使用しても良い。カメラとしてＣＣＤやＣＭＯＳの光電変換素子を使用し、受光光量を使用して照度センサ４０とする。また、光電変換素子のデータから顔を認識する制御回路を設けてもよい。顔を認識した場合に、バックライト制御回路３４が輝度を高め、顔を認識してから一定時間経過した場合に、輝度を下げる。ディジタルサイネージとして使用する場合に、液晶ディスプレイ１０の前に人がいないときに広告の効果はないため、輝度を下げて筐体１６内の温度を下げる。人が近づくと輝度を上げて、表示をおこなう。バックライト２４の寿命を延ばすことができ、消費電力の低減になる。輝度の上げ下げは、バックライト２４のオン・オフであっても良い。
【００４６】
また、バックライト２４の制御判断に時計機能を使用してもよい。ディジタルサイネージとして使用する場合に、液晶ディスプレイ１０の前に人がいないと想定される夜間などの時間帯に輝度を下げて筐体１６内の温度を下げる。人がいると想定される時間帯になってから輝度を上げて、表示をおこなう。バックライト２４の寿命を延ばすことができ、消費電力の低減になる。輝度の上げ下げは、バックライト２４のオンまたはオフの切り替えであっても良い。
【実施例６】
【００４７】
第１のファン１８および第２のファン２０ａ，２０ｂはそれぞれ複数であっても良い。第１のファン１８同士および第２のファン２０ａ，２０ｂ同士は同時に駆動しないようにする。図４に示すように第１のファン１８がＡ，Ｂ，Ｃの３個あるとする。この場合、各ファンＡ，Ｂ，Ｃがローテーションされるため、各ファンＡ，Ｂ，Ｃは順番に停止される時間が設けられる。各ファンＡ，Ｂ，Ｃの負荷が小さくなる。また、ファンＡ，Ｂ，Ｃの通算の駆動時間が同じになるようにする。ファンＡ，Ｂ，Ｃのメンテナンスをおこないやすくするためである。第２のファン２０ａ，２０ｂについても同様である。
【００４８】
また、第２のファン２０ａ，２０ｂは、吸気用と排気用が同数となるようにする。吸気用と排気用で同数のファン２０ａ，２０ｂが駆動するようにする。吸気と排気を効率よくするためである。
【００４９】
第１のファン１８と第２のファン２０ａ，２０ｂは同時に駆動させることに限定されない。液晶モジュール１２の温度が低い場合、いずれか一方のファン１８，２０ａ，２０ｂだけが駆動するようにしても良い。第２のファン２０ａ，２０ｂも吸気用と排気用のファンが別個に駆動しても良い。また、複数個あることにより、あるファン１８，２０ａ，２０ｂが故障したとしても残りのファン１８，２０ａ，２０ｂにより冷却が可能となるため、安定した表示が行える。
【実施例７】
【００５０】
上述した複数の温度センサ３８を使用して、液晶モジュール１２の複数ポイントの温度を測定した場合、各ポイントの温度に応じて各ファン１８，２０ａ，２０ｂの回転数を制御しても良い。各ファン１８，２０ａ，２０ｂは複数有り、温度の高いポイントに送風をおこなうファン１８，２０ａ，２０ｂは回転数を上げ、温度の低いポイントに送風をおこなうファン１８，２０ａ，２０ｂは回転数を下げる。液晶モジュール１２の前面または裏面の各所の温度を均一にすることによって、表示ムラを減少させる。
【実施例８】
【００５１】
上記の各実施例であれば、結露が生じない温度であり、かつ黒く表示されない温度の場合は各ファン１８，２０ａ，２０ｂは駆動しない。しかし、各ファン１８，２０ａ，２０ｂが一定時間駆動しなければ、ファン制御回路３６は、一定時間の間、各ファン１８，２０ａ，２０ｂを低速または間欠的に駆動させる。各ファン１８，２０ａ，２０ｂのベアリング部の結露や油膜切れによる腐食を防止して、ファン１８，２０ａ，２０ｂの寿命を延ばすためである。
【実施例９】
【００５２】
上記の各実施例では、第１のファン１８をクロスフローファン、第２のファン２０ａ，２０ｂを軸流ファンとして説明したが、他のファンであっても良い。また、第１のファン１８の風Ｗｙの方向を縦方向、第２のファン２０ａ，２０ｂの風Ｗｘの方向を横方向としているが、逆であっても良い。どのようなファンを採用したとしても、第１のファン１８が一の方向に風を発生させて、液晶モジュール１２の前面を冷却する。また、第２のファン２０ａ，２０ｂが液晶モジュール１２の裏面の冷却と筐体１６内の換気をする。
【００５３】
第１のファン１８による風Ｗｙの流れと第２のファン２０ａ，２０ｂによる風Ｗｘの流れは図のように直行させることに限定しない。例えば、吸気用の通風口を筐体１６の背面（第１のファン１８の吸気部及び液晶モジュール１２の裏面中央付近）に設置し、第２のファン２０ａ，２０ｂは両側とも排気としてもよい。
【実施例１０】
【００５４】
液晶モジュール１２の表示時間、バックライト２４の点灯時間、および各ファン１８，２０ａ，２０ｂの駆動時間をメモリに記録しても良い。バックライト２４の点灯時間には輝度設定値を、ファン１８，２０ａ，２０ｂの駆動時間には回転数の情報を記憶するメモリに含めても良い。記録された時間から、各部材の寿命を管理する。各時間をネットワーク経由（有線と無線は問わない）でホストコンピュータに送信しても良い。ホストコンピュータで、メンテナンス時期を管理することができる。各時間を計時するために、時計を収納するかネットワークで時間を取得できるようにする。
【００５５】
また、各部材の駆動時間から、バックライト制御回路３４は、経年劣化を補正してバックライト２４を駆動させる。バックライト制御回路３４は、経年劣化の統計データや補正用の変換式などを記憶しておき、経年劣化を補正できるようにする。
【００５６】
筐体１６の通風口３２にエアフィルターを設けた場合、各ファン１８，２０ａ，２０ｂの近くに小型の風量センサを配置しても良い。風量の変化によって、エアフィルターの汚れを検出することができる。エアフィルターの汚れのデータをネットワーク経由でホストコンピュータに送信しても良い。ホストコンピュータでメンテナンス時期を監視することができる。
【実施例１１】
【００５７】
ＯＳＤ（On-Screen Display）によりファン１８，２０ａ，２０ｂの稼働状態や液晶モジュール１２の温度を表示するようにしても良い。メンテナンス時に液晶モジュール１２の状態などを把握しやすい。液晶モジュール１２の温度が上昇しすぎたときなどに、非常表示をおこなっても良い。
【００５８】
また、液晶ディスプレイ１０をネットワークに接続して、ファン１８，２０ａ，２０ｂの稼働状態や液晶モジュール１２の温度をネットワーク経由で確認できるようにしても良い。ネットワーク経由で液晶モジュール１２の表示、バックライト２４の制御、ファン１８，２０ａ，２０ｂの制御をおこなうことも可能である。
【００５９】
以上の各実施例は他の実施例に対して排他的または独立した物ではなく、適宜組み合わされて実施することができる。その他、本発明は、その主旨を逸脱しない範囲で当業者の知識に基づき種々の改良、修正、変更を加えた態様で実施できるものである。
【符号の説明】
【００６０】
１０：液晶ディスプレイ
１２：液晶モジュール
１４：板体
１６：筐体
１８：第１のファン
２０ａ，２０ｂ：第２のファン
２２：液晶セル
２４：バックライト
２６：開口
２８：枠
３０：ダクト
３２：通風口
３４：バックライト制御回路
３６：ファン制御回路
３８：温度センサ
４０：照度センサ
【図１】
2011150034.tif 000003
【図２】
2011150034.tif 000004
【図３】
2011150034.tif 000005
【図４】
2011150034.tif 000006
【図５】
2011150034.tif 000007